(57)【要約】      （修正有）【課題】光ノード装置における上り光送信器の異常を自動的に判別して、正常動作中の上り光送信器に自動的に切替え可能とする。【解決手段】ヘッドエンドシステムＡのセンターモデムから出力されるステータスモニタシステム用のFSK信号を光ノード装置Ｂ１〜Ｂｎのステータスモニタユニットで受信し、ステータスモニタユニットから出力されるステータスモニタシステム用のPSK信号を、光ノード装置の前記二以上の上り光送信器のいずれか一つの上り光送信器のPSK信号伝送ルートで前記センターモデムに伝送するようにしたステータスモニタシステム用PSK信号の光伝送方法において、PSK信号を送る上り光送信器の動作を監視・判別し、その上り光送信器が異常動作と判別されると、光ノード装置の正常動作している上り光送信器に自動的に切替え、切替えた上り光送信器からの光伝送ルートでPSK信号を前記センターモデムに伝送するようにした。【選択図】図１
2012138755.tif 000002
【特許請求の範囲】
【請求項１】
二以上のセルから一台の光ノード装置に集合する二以上の上り回線が二以上に分割され、分割回線ごとに上り光送信器が設けられ、それら上り光送信器により分割回線ごとの上り光信号がヘッドエンドシステムに伝送され、ヘッドエンドシステムのセンターモデムから出力されるステータスモニタシステム用のFSK信号を光ノード装置のステータスモニタユニットで受信し、ステータスモニタユニットから出力されるステータスモニタシステム用のPSK信号を、光ノード装置の前記二以上の上り光送信器のいずれか一つの上り光送信器のPSK信号伝送ルートで前記センターモデムに伝送するようにしたステータスモニタシステム用PSK信号の光伝送方法において、PSK信号を送る上り光送信器の動作を監視・判別し、その上り光送信器が異常動作と判別されると、光ノード装置の正常動作している他の上り光送信器に自動的に切替え、切替えた上り光送信器からの光伝送ルートで前記PSK信号を前記センターモデムに伝送するようにしたことを特徴とするステータスモニタシステム用PSK信号の光伝送ルート切替え方法。
【請求項２】
請求項１記載のステータスモニタシステム用PSK信号の光伝送ルート切替え方法において、PSK信号を送信している上り光送信器の動作の監視・判別を、光ノード装置に設けた監視・判別装置又は光ノード装置のステータスモニタユニットで行うことができるようにしたことを特徴とするステータスモニタシステム用PSK信号の光伝送ルート切替え方法。
【請求項３】
請求項１記載のステータスモニタシステム用PSK信号の光伝送ルート切替え方法において、光ノード装置における二以上の上り光送信器のうちいずれか一つの上り光送信器のPSK送信ルートからの出力（PSK信号）と、PSK信号を送信しない他の上り光送信器のPSK送信ルートからの出力（PSK信号なし）とを混合してセンターモデムに送信することにより、切替え後の上り光送信器から送信されるPSK信号がセンターモデムに自動的に出力されるようにすることができるようにしたことを特徴とするステータスモニタシステム用PSK信号の光伝送ルート切替え方法。
【請求項４】
請求項１記載のステータスモニタシステム用PSK信号の光伝送ルート切替え方法において、一つのヘッドエンドシステムに二以上の光ノード装置が接続され、夫々の光ノード装置の二以上に分割された分割回線ごとに上り光送信器が設けられ、夫々の光ノード装置の二以上の上り光送信器のうちいずれか一つの上り光送信器のPSK送信ルートからの出力（PSK信号）と、PSK信号を送信しない他の上り光送信器のPSK送信ルートからの出力（PSK信号なし）を混合してセンターモデムに送信することにより、いずれかの光ノード装置においてPSK信号を送信する上り光送信器が切替えられると、切替え後の上り光送信器から送信されるPSK信号がセンターモデムに自動的に出力されるようにしたことを特徴とするステータスモニタシステム用PSK信号の光伝送ルート切替え方法。
【請求項５】
ヘッドエンドシステムのセンターモデムから出力されるステータスモニタシステム用のFSK信号を受信する下り光受信器と、ステータスモニタシステム用のPSK信号を出力するステータスモニタユニットと、光ノード装置の上り回線に入力される上り光信号をセンターモデムに送信する上り光送信器を備え、上り光送信器は二以上のセルから光ノード装置に集合する上り回線を二以上に分割した分割回線ごとに設けられ、それら上り光送信器には上り信号伝送ルートとPSK信号伝送ルートを備え、上り光送信器の上り信号伝送ルートにより分割回線ごとの上り光信号がヘッドエンドシステムに伝送され、前記二以上の上り光送信器のいずれか一つの上り光送信器の光伝送ルートを使用してPSK信号をヘッドエンドシステムに送信するようにした光ノード装置において、光ノード装置に、PSK信号を伝送中の上り光送信器の動作を監視してその上り光送信器の正常／異常動作を判別可能な監視・判別装置と、PSK信号を伝送する上り光送信器からの光伝送ルートを正常動作中の上り光送信器とそれに接続された光伝送ルートに切替え可能なPSK伝送ルート切替えスイッチと、前記監視・判別装置により異常と判別されると前記切替えスイッチを自動的に切替え操作可能な切替え制御部を備えたことを特徴する光ノード装置。
【請求項６】
請求項５記載の光ノード装置において、光ノード装置における二以上の上り光送信器のうちいずれか一つの上り光送信器のPSK信号伝送ルートからの出力（PSK信号）と、PSK信号を送信しない他の上り光送信器のPSK信号伝送ルートからの出力（PSK信号なし）とを混合してセンターモデムに送信する混合器をヘッドエンドシステムに設けて、上り光送信器を切替えることにより新たな上り光送信器から送信されるPSK信号が混合器を介してセンターモデムに自動的に出力されるようにしたことを特徴する光ノード装置。
【請求項７】
請求項５記載の光ノード装置において、ヘッドエンドシステムに二以上の光ノード装置が接続されている場合に、夫々の光ノード装置の二以上の分割回線ごとに上り光送信器が設けられ、夫々の光ノード装置における二以上の上り光送信器のうちいずれか一つの上り光送信器のPSK信号伝送ルートからの出力（PSK信号）と、他の上り光送信器のPSK信号伝送ルートからの出力（PSK信号なし）とを混合してセンターモデムに送信する混合器をヘッドエンドシステムに設けて、いずれかの光ノード装置においてPSK信号を送信する上り光送信器が切替えられると、切替え後の上り光送信器から送信されるPSK信号が混合器を介してセンターモデムに自動的に出力されるようにしたことを特徴する光ノード装置。
【発明の詳細な説明】
【技術分野】
【０００１】
本発明はCATVシステムにおけるステータスモニタシステム用PSK信号の光伝送ルート切替え方法と、その方法を実施可能な光ノード装置に関する。
【背景技術】
【０００２】
CATVシステムの一つに、図４のように、センターのヘッドエンドシステムＡと光ノード装置Ｂの間の伝送路に、長距離伝送に適した光ファイバーケーブルを使用し、光ノード装置Ｂと端末間の伝送路に増幅・分配の簡便性をもつ同軸ケーブルを使用して、光・胴軸ハイブリッドシステムとしたHFC方式（Hybrid Fiber Coaxial方式）がある。この種のCATVシステムは通信の品質や速度向上のため、加入者数が数千世帯の大規模なセルを数百世帯単位の小規模なセルに分割している。近年、光ノード装置の１セルをさらに小セル化するシステムが主流になってきている。この小セル化システムを光ノード装置一台で実現するには、集合する上り回線を光ノード装置において入／出力端子ごとに分割し、分割された入／出力端子ごとに専用の上り光送信器を設け、それら上り光送信器でセンターのヘッドエンドシステムに送信する機能が必要となる。この場合、屋外の光ケーブルの余剰心線を利用して冗長システム化するか、WDM（Wavelength Division Multiplexing：波長分割多重）方式にするか様々であるが、一般的な例として、上り二分割の場合は図５の構成で、上り四分割の場合は図６の構成で実現している。
【０００３】
図５に示す上り二分割の場合は、光ノード装置Ｂの入／出力端子ＩＯ１と入／出力端子ＩＯ２の上り回線を一組にして上り光送信器Ｔ１に、入／出力端子ＩＯ３と入／出力端子ＩＯ４の上り回線を一組にして上り光送信器Ｔ２に接続し、上り光送信器Ｔ１からヘッドエンドシステムＡの上り光受信器Ｒ１に、上り光送信器Ｔ２からヘッドエンドシステムＡの上り光受信器Ｒ２に光信号を伝送できるようにしてある。
【０００４】
図６に示す上り四分割の場合は、光ノード装置Ｂの入／出力端子ＩＯ１〜ＩＯ４の上り回線の夫々を上り光送信器Ｔ１〜Ｔ４の夫々に接続し、上り光送信器Ｔ１〜Ｔ４の出力端を光ノード装置Ｂの波長多重フィルター（WDM）に接続し、その波長多重フィルター（WDM）からヘッドエンドシステムＡの波長多重フィルター（WDM）に送出できるようにしてある。
【０００５】
図５、図６のいずれの場合も、ヘッドエンドシステムＡのセンターモデム（親機）Ｃから出力されるFSK信号（Frequency shift keying信号：周波数偏移変調信号）を、下り信号と共に下り光送信器ＤＴ１、ＤＴ２から光ノード装置Ｂの下り光受信器ＤＲ１、ＤＲ２に送信し、それら下り光受信器ＤＲ１、ＤＲ２からステータスモニタユニット（子機）Ｄに送信し、ステータスモニタユニットＤから出力されるPSK信号（Phase shift keying信号：位相偏移変調信号）をいずれか一つの上り光送信器Ｔ１からヘッドエンドシステムＡに送信している。
【０００６】
図５、図６のように、上り回線を分割すると、上り光送信器の実装数が増えるが、PSK信号を二以上の上り光送信器から伝送すると、PSK信号がセンターのヘッドエンドシステムＡで衝突してPSK信号の判別が困難になる。この衝突を回避するため、図５、図６ではPSK信号を伝送する光送信器を一つにしている。
【０００７】
図５、図６において、PSK信号を送信している上り光送信器の異常監視・判別・制御はステータスモニタユニットＤを利用して行う。しかし、異常が検知・判別されても、ステータスモニタユニットＤからのPSK信号は、上り光送信器Ｔ１の伝送ルートでしかヘッドエンドシステムＡに送信することができない。
【０００８】
光ファイバーケーブルと同軸ケーブルを使用した光・胴軸ハイブリッド方式のCATVシステムとして特許文献１、２があるが、特許文献１は光ファイバ心数を増加させずに冗長構成を可能としたものであり、小セル化に関するものではない。特許文献２は既存のHFC方式のCATVシステムを有効活用しながら高速なデータ伝送を適宜タイミングで経済的に導入できるようにしたものであり、小セル化に関するものではない。
【先行技術文献】
【特許文献】
【０００９】
【特許文献１】特開２００５−９４３１０
【特許文献２】特開２００３−９１１２
【発明の概要】
【発明が解決しようとする課題】
【００１０】
小セル化するために図５、図６のように上り回線を分割し、PSK信号を伝送する光送信器を一つにすると、その上り送信器Ｔ１に異常（故障）が発生するとステータスモニタシステムによる通信が遮断してしまう。この場合、異常箇所を判別するためには、光ノード装置Ｂが設置されている現場に出向いて異常を確認しなければならないため復旧までに時間がかかる。
【００１１】
本発明の課題は、端末が小セル化されたCATVシステムにおいて、光ノード装置における上り光送信器の異常を自動的に判別して、ステータスモニタシステム用PSK信号の光伝送ルートを正常動作中の上り光送信器に自動的に切替え可能とし、異常と判別された上り光送信器を自動的に確認できるようにすることにある。
【課題を解決するための手段】
【００１２】
本発明のステータスモニタシステム用PSK信号の光伝送ルート切替え方法は、二以上のセルから一台の光ノード装置に集合する二以上の上り回線が二以上に分割され、分割回線ごとに上り光送信器が設けられ、それら上り光送信器により分割回線ごとの上り光信号がヘッドエンドシステムに伝送され、ヘッドエンドシステムのセンターモデムから出力されるステータスモニタシステム用のFSK信号を光ノード装置のステータスモニタユニットで受信し、ステータスモニタユニットから出力されるステータスモニタシステム用のPSK信号を、光ノード装置の前記二以上の上り光送信器のいずれか一つの上り光送信器のPSK信号伝送ルートで前記センターモデムに伝送するようにしたステータスモニタシステム用PSK信号の光伝送方法において、PSK信号を送る上り光送信器の動作を監視・判別し、その上り光送信器が異常動作と判別されると、光ノード装置の正常動作している他の上り光送信器に自動的に切替え、切替えた上り光送信器からの光伝送ルートで前記PSK信号を前記センターモデムに伝送するようにした方法である。
【００１３】
本発明のステータスモニタシステム用PSK信号の光伝送ルート切替え方法は、前記切替え方法において、PSK信号を送信している上り光送信器の動作の監視・判別を、光ノード装置に設けた監視・判別装置又は光ノード装置のステータスモニタユニットで行うことができる。
【００１４】
本発明のステータスモニタシステム用PSK信号の光伝送ルート切替え方法は、前記切替え方法において、光ノード装置における二以上の上り光送信器のうちいずれか一つの上り光送信器のPSK送信ルートからの出力（PSK信号）と、PSK信号を送信しない他の上り光送信器のPSK送信ルートからの出力（PSK信号なし）とを混合してセンターモデムに送信することにより、切替え後の上り光送信器から送信されるPSK信号がセンターモデムに自動的に出力されるようにすることができる。
【００１５】
本発明のステータスモニタシステム用PSK信号の光伝送ルート切替え方法は、前記切替え方法において、一つのヘッドエンドシステムに二以上の光ノード装置が接続され、夫々の光ノード装置の二以上に分割された分割回線ごとに上り光送信器が設けられ、夫々の光ノード装置の二以上の上り光送信器のうちいずれか一つの上り光送信器のPSK送信ルートからの出力（PSK信号）と、PSK信号を送信しない他の上り光送信器のPSK送信ルートからの出力（PSK信号なし）を混合してセンターモデムに送信することにより、いずれかの光ノード装置においてPSK信号を送信する上り光送信器が切替えられると、切替え後の上り光送信器から送信されるPSK信号がセンターモデムに自動的に出力されるようにすることもできる。
【００１６】
本発明の光ノード装置は、ヘッドエンドシステムのセンターモデムから出力されるステータスモニタシステム用のFSK信号を受信する下り光受信器と、ステータスモニタシステム用のPSK信号を出力するステータスモニタユニットと、光ノード装置の上り回線に入力される上り光信号をセンターモデムに送信する上り光送信器を備え、上り光送信器は二以上のセルから光ノード装置に集合する上り回線を二以上に分割した分割回線ごとに設けられ、それら上り光送信器には上り信号伝送ルートとPSK信号伝送ルートを備え、上り光送信器の上り信号伝送ルートにより分割回線ごとの上り光信号がヘッドエンドシステムに伝送され、前記二以上の上り光送信器のいずれか一つの上り光送信器の光伝送ルートを使用してPSK信号をヘッドエンドシステムに送信するようにした光ノード装置において、光ノード装置に、PSK信号を伝送中の上り光送信器の動作を監視してその上り光送信器の正常／異常動作を判別可能な監視・判別装置と、PSK信号を伝送する上り光送信器からの光伝送ルートを正常動作中の上り光送信器とそれに接続された光伝送ルートに切替え可能なPSK伝送ルート切替えスイッチと、前記監視・判別装置により異常と判別されると前記切替えスイッチを自動的に切替え操作可能な切替え制御部を備えたものである。この切替え制御部は光ノード装置に新規に設けることもできるが、前記ステータスモニタユニットを使用することもできる。
【００１７】
本発明の光ノード装置は、前記光ノード装置において、光ノード装置における二以上の上り光送信器のうちいずれか一つの上り光送信器のPSK信号伝送ルートからの出力（PSK信号）と、PSK信号を送信しない他の上り光送信器のPSK信号伝送ルートからの出力（PSK信号なし）とを混合してセンターモデムに送信する混合器をヘッドエンドシステムに設けて、上り光送信器を切替えることにより新たな上り光送信器から送信されるPSK信号が混合器を介してセンターモデムに自動的に出力されるようにすることができる。
【００１８】
本発明の光ノード装置は、前記光ノード装置において、ヘッドエンドシステムに二以上の光ノード装置が接続されている場合に、夫々の光ノード装置の二以上の分割回線ごとに上り光送信器が設けられ、夫々の光ノード装置における二以上の上り光送信器のうちいずれか一つの上り光送信器のPSK信号伝送ルートからの出力（PSK信号）と、他の上り光送信器のPSK信号伝送ルートからの出力（PSK信号なし）とを混合してセンターモデムに送信する混合器をヘッドエンドシステムに設けて、いずれかの光ノード装置においてPSK信号を送信する上り光送信器が切替えられると、切替え後の上り光送信器から送信されるPSK信号が混合器を介してセンターモデムに自動的に出力されるようにすることもできる。
【発明の効果】
【００１９】
本発明のステータスモニタシステム用PSK信号の伝送ルート切替え方法は次のような効果がある。
１．PSK信号を伝送している上り光送信器が故障しても、正常動作中の上り光送信器に自動的に切替わるので、ステータスモニタシステムの通信が遮断することがない。
２．光ノード装置の二以上の上り光送信器の光ノード装置における二以上の上り光送信器のうちいずれか一つの上り光送信器のPSK信号伝送ルートからの出力（PSK信号）と、PSK信号を送信しない他の上り光送信器のPSK信号伝送ルートからの出力（PSK信号なし）とを混合してセンターモデムに入力するので、異常動作した上り光送信器から正常動作している上り光送信器に自動的に切替えると、PSK信号が、切替えられた上り光送信器のPSK信号伝送ルートを通じてセンターモデムに自動的に伝送されるのでPSK信号が遮断することがない。また、光ノード装置のPSK信号伝送ルートを確認することができるので、故障した上り光送信器を自動的に特定できるので復旧作業を迅速に行うことができる。
３．二以上の光ノード装置の夫々における二以上の上り送信器のうちいずれか一つの上り光送信器のPSK信号伝送ルートからの出力（PSK信号）と、PSK信号を送信しない他の上り光送信器のPSK信号伝送ルートからの出力（PSK信号なし）とを混合してセンターモデムに入力するので、CATVシステムが小セル化されて、一つのヘッドエンドシステムに二以上の光ノード装置が接続されても異常発生ルートを自動的に特定でき、復旧作業を迅速に行うことができる。
【００２０】
本発明の光ノード装置は次のような効果がある。
１．光ノード装置がPSK信号伝送中の上り送信器の正常動作／異常動作を判別可能な監視・判別部と、監視・判別部により異常と判別されるとPSK信号を伝送する上り光送信器及びそれに接続された光伝送ルートを、正常動作中の上り光送信器及び光伝送ルートに自動的に切り替え可能なPSK伝送ルート切替えスイッチを設けたので、PSK信号を伝送している上り光送信器の故障時に自動的に切替えることができ、ステータスモニタシステムの通信が遮断することがなく、また、異常箇所の特定が容易になる。
２．PSK信号を伝送中の上り光送信器に異常が発生すると、光ノード装置のステータスモニタユニットによりPSK信号伝送ルート切替えスイッチを制御して、正常動作中の上り光送信器及び光伝送ルートに自動的に切替えできるので、PSK信号を伝送している上り光送信器が故障してもステータスモニタシステムの通信が遮断することがない。また、異常箇所の特定が容易にできる。
３．二以上の光ノード装置の夫々における二以上の上り送信器からの出力をヘッドエンドシステムの混合器で混合してセンターモデムに入力できるので、CATVシステムが小セル化されて、一つのヘッドエンドシステムに二以上の光ノード装置が接続されても、二以上の光ノード装置のどのPSK信号伝送ルートに異常発生したかを自動的に特定でき、復旧作業を迅速に行うことができる。
【図面の簡単な説明】
【００２１】
【図１】本発明のステータスモニタシステム用PSK信号の光伝送ルート切替え装置の一例を示す説明図。
【図２】図１に示す光ノード装置であって、PSK信号伝送ルート判別／制御部を備え場合の一例を示す説明図。
【図３】図１に示す光ノード装置であって、PSK信号伝送ルートの判別／制御をスタータスモニタユニットで行う場合の一例を示す説明図。
【図４】従来のCATVシステムの光伝送ルート構成の一例を示す説明図。
【図５】従来のCATVシステムの光伝送ルート構成の一例であって、二分割小セル化の場合の説明図。
【図６】従来のCATVシステムの光伝送ルート構成の一例であって、四分割小セル化の場合の説明図。
【発明を実施するための形態】
【００２２】
（実施形態）
本発明のステータスモニタシステム用PSK信号の光伝送ルート切替え方法と光ノード装置の一実施形態を以下に説明する。図１に示すものは一つのヘッドエンドシステムＡに二以上の光ノード装置Ｂが接続されたものである。光ノード装置Ｂは一又は二以上（ｎ個）とすることができる。図２は光ノード装置Ｂの一例であり、上り回線の分割数が二つの場合（入／出力端子ＩＯ１とＩＯ２を一組、ＩＯ３とＩＯ４を一組にして分割した二分配の場合）である。
【００２３】
（光ノード装置１）
図１の光ノード装置Ｂ１、・・・、Ｂｎは、図２のように、入／出力端子ＩＯ１とＩＯ２からの信号を一組にして伝送する上り光送信器１ａ、入／出力端子ＩＯ３とＩＯ４からの信号を一組にして伝送する上り光送信器１ｂ、ステータスモニタユニット（子機）Ｄ、PSK信号伝送ルート切替えスイッチ２、PSK信号伝送ルート判別／制御部３、センターモデムＣ（図１）から伝送される下り信号及びFSK信号を受信する下り光受信器４ａ、４ｂ、RFスイッチ（RFSW）５を備えている。上り光送信器１ａ、１ｂの夫々はPSK信号伝送ルート６ａ、６ｂと上り信号伝送回線７ａ、７ｂを備えている。
【００２４】
図２のステータスモニタユニットＤは既存のステータスモニタユニットと同様の機能を備えており、センターモデムＣ（図１）から伝送されるFSK信号を受信して処理し、PSK信号を出力することができる。図２のPSK信号伝送ルート切替えスイッチ２は上り光送信器１ａ、１ｂを選択して切替えるものであり、そのスイッチ２には電子的に切替え可能なスイッチング素子（高周波スイッチ）や機械的に切替え可能な高周波リレーなどが使用される。図２のPSK信号伝送ルート判別／制御部３は、PSK信号伝送中の上り光送信器１ａの動作が正常であるか異常であるかを判別し、異常であると判別するとPSK信号伝送ルート切替えスイッチ２を切替え制御して、PSK信号伝送ルートを異常動作の上り光送信器１ａのPSK信号伝送ルート（実線で示すPSK信号伝送ルート６ａ）から正常動作の上り光送信器１ｂのPSK信号伝送ルート（仮想線で示すPSK信号伝送ルート６ｂ）に切替えるものである。図２のPSK信号伝送ルート判別／制御部３にはCPUを使用することができる。PSK信号伝送ルート判別／制御部３は判別部と制御部に分けることもできる。
【００２５】
（ヘッドエンドシステム）
図１のヘッドエンドシステムＡはステータスモニタシステムのセンターモデムＣ、分配器１０、光ノード装置Ｂ１用下り光送信器１１ａ、１１ｂ、光ノード装置Ｂｎ用下り光送信器１２ａ、１２ｂ、光ノード装置Ｂ１用上り光受信器１３ａ、１３ｂ、光ノード装置Ｂｎ用上り光受信器１４ａ、１４ｂ、混合器１５を備えている。
【００２６】
図１の分配器１０はセンターモデム（親機）ＣからのFSK信号を前記下り光送信器１１ａ、１１ｂ、１２ａ、１２ｂに分配するものである。
【００２７】
前記混合器１５は光ノード装置Ｂ１における上り光送信器１ａ（図１）のPSK信号伝送ルートから送信されてヘッドエンドシステムＡの光ノード装置Ｂ１用上り光受信器１３ａで受信した出力（PSK信号あり）と、上り光送信器１ｂ（図１）のPSK信号伝送ルートから送信されてヘッドエンドシステムＡの光ノード装置Ｂ１用上り光受信器１３ｂで受信した出力（PSK信号なし）を混合すると共に、光ノード装置Ｂｎにおける上り光送信器のPSK信号伝送ルートから送信されてヘッドエンドシステムＡの光ノード装置Ｂｎ用上り光受信器１４ａで受信した出力（PSK信号あり）と、上り光送信器のPSK信号伝送ルートから送信されてヘッドエンドシステムＡの光ノード装置Ｂｎ用上り光受信器１４ｂで受信した出力（PSK信号なし）を混合して、センターモデムＣに送信するものである。
【００２８】
センターモデム（親機）ＣはFSK信号を出力でき、混合器１５からの信号が、光ノード装置Ｂ１、Ｂｎにおけるどの上り光送信器から送信されたものであるかを判別することができる。
【００２９】
（光ノード装置２）
図３の光ノード装置は、PSK信号を伝送中の上り光送信器の異常判別と、そのPSK信号伝送ルート切替えスイッチ２の切替え制御を、ステータスモニタユニットＤで行うようにしたものである。このため図３では上り光送信器１ａ、１ｂから出力される状態監視信号をステータスモニタユニットＤに出力し、その監視信号に基づいて夫々の上り光送信器１ａ、１ｂの動作状態を監視して異常動作と正常動作を判別し、異常と判別されると、PSK信号伝送ルート切替えスイッチ２を切替え操作して、正常動作中の上り光送信器のPSK信号伝送ルートでPSK信号を伝送できるようにしてある。
【符号の説明】
【００３０】
１ａ、１ｂ  上り光送信器
２  PSK信号伝送ルート切替えスイッチ
３  PSK信号伝送ルート判別／制御部
４ａ、４ｂ  下り光受信器
５  RFスイッチ（RFSW）
６ａ、６ｂ  PSK信号伝送ルート
７ａ、７ｂ  上り信号伝送回線
１０  分配器
１１ａ、１１ｂ  光ノード装置Ｂ１用下り光送信器
１２ａ、１２ｂ  光ノード装置Ｂｎ用下り光送信器
１３ａ、１３ｂ  光ノード装置Ｂ１用上り光受信器
１４ａ、１４ｂ  光ノード装置Ｂｎ用上り光受信器
１５  混合器
Ａ  ヘッドエンドシステム
Ｂ１、・・・、Ｂｎ  光ノード装置
Ｃ  センターモデム（親機）
Ｄ  ステータスモニタユニット（子機）
ＤＲ１、ＤＲ２  下り光受信器
ＤＴ１、ＤＴ２  下り光送信器
ＩＯ１、ＩＯ２、ＩＯ３、ＩＯ４  入／出力端子
Ｒ１〜Ｒ４  上り光受信器
Ｔ１〜Ｔ４  上り光受信器
【図１】
2012138755.tif 000003
【図２】
2012138755.tif 000004
【図３】
2012138755.tif 000005
【図４】
2012138755.tif 000006
【図５】
2012138755.tif 000007
【図６】
2012138755.tif 000008